【手続補正書】
【提出日】平成19年8月7日(2007.8.7)
【手続補正１】
【補正対象書類名】特許請求の範囲
【補正対象項目名】全文
【補正方法】変更
【補正の内容】
【特許請求の範囲】
【請求項１】
次の各構成を備える製紙布。
・横方向の（ＣＤ）横糸で作った上層であり、その上層は、同じ等高に少なくとも二つの異なる径、大きさ、あるいは形の横糸を含み、布の成形面に面差を生み出す
・ＣＤ横糸で作った下層
・ＣＤ横糸で作った前記上層および下層と織り交ぜる縦方向（ＭＤ）の縦糸の系
・ＣＤ横糸で作った前記上層が、前記布の成形面にＭＤ縦糸のものよりも長い浮きを形作るという特徴
・前記上層が成形面に好適なポケット状のパターン模様を生み出すという特徴
【請求項２】
ＣＤ横糸の前記上層が布の成形側を構成し、ＣＤ横糸の前記下層が布の着用側を構成する、請求項１の製紙布。
【請求項３】
前記布が、ティッシュ、生理用ナプキン、およびタオル紙を製造するための成形布である、請求項１の製紙布。    
【請求項４】
前記上層の面差が、前記布で成形する紙シートに、厚み（嵩）、幅方向引っ張り、吸収性、および柔軟性を生じる、請求項１の製紙布。    
【請求項５】
前記ＭＤ糸およびＣＤ横糸がモノフィラメント糸である、請求項１の製紙布。  
【請求項６】
前記ＭＤ糸の少なくともいくつかが、ポリエステル糸、ポリアミド糸、あるいは他の高分子糸の中の一つである、請求項１の製紙布。  
【請求項７】
前記ＣＤ横糸の少なくともいくつかが、ポリエステル糸、ポリアミド糸、あるいは他の高分子糸の中の一つである、請求項１の製紙布。    
【請求項８】
糸の少なくともいくつかが、硬い材料あるいは柔らかい材料の糸である、請求項１の製紙布。  
【請求項９】
前記ＭＤ縦糸および／またはＣＤ横糸が、円形断面形状、矩形断面形状あるいは非円形断面形状である、請求項１の製紙布。
【請求項１０】
前記布が、二重層あるいは二重層サポートシュート布である、請求項１の製紙布。    
【請求項１１】
前記少なくとも二つの異なる径、大きさ、あるいは形の横糸が、前記上層に交互に繰り返している、請求項１の製紙布。  
【請求項１２】
前記中間層のＣＤ横糸が、前記下層のＣＤ横糸に上下に積み重なっている、請求項１１の製紙布。  
【請求項１３】
前記布が三重重ねのシュート（ＴＴＳ）布である、請求項１２の製紙布。
【請求項１４】
次の各構成を備える製紙布。
・同じ等高に少なくとも二つの異なる径、大きさ、あるいは形を含み、縦糸の系と織り込まれる横糸で作った上層
・縦糸の前記系と織り込まれる横糸で作った下層
・前記横糸および縦糸が前記上層にポケット区域を定める
・最大の径、大きさ、あるいは形の横糸と前記縦糸との間の面差によって生じる少なくとも三つのレベルをもち、前記レベルが前記ポケット区域に対応するポケット深さを定める上層
・ＣＤ横糸で作った前記上層が、前記布の成形面にＭＤ縦糸のものよりも長い浮きを形作るという特徴
【請求項１５】
前記上層が前記布の成形側を構成し、前記下層が前記布の着用側を構成する、請求項１４の製紙布。    
【請求項１６】
前記布が、ティッシュ、生理用ナプキン、およびタオル紙を製造するための成形布である、請求項１４の製紙布。
【請求項１７】
前記上層における前記ポケット区域およびポケット深さが、前記布で成形する紙シートに、厚み（嵩）、幅方向引っ張り、吸収性、および柔軟性を生じる、請求項１４の製紙布。
【請求項１８】
前記横糸および縦糸がモノフィラメント糸である、請求項１４の製紙布。
【請求項１９】
前記横糸および縦糸が、ポリエステル糸、ポリアミド糸、あるいは他の高分子糸の中の一つである、請求項１４の製紙布。
【請求項２０】
糸の少なくともいくつかが、硬い材料あるいは柔らかい材料の中の一つである、請求項１４の製紙布。  
【請求項２１】
前記横糸および／または縦糸が、円形断面形状、矩形断面形状あるいは非円形断面形状である、請求項１４の製紙布。  
【請求項２２】
次の各構成を備える製紙布。
・同じ等高に少なくとも三つの異なる径、大きさ、あるいは形を含み、縦糸の系と織り込まれる横糸で作った上層
・縦糸の前記系と織り込まれる横糸で作った下層
・バインダー横糸、バインダー縦糸、または一体化した縦糸あるいは横糸バインダーであって、前記上層と下層とを結合し布を構成するもの
・より大きい二つの径、大きさ、あるいは形をもつ横糸、および縦糸であって、前記上層の表面に大ポケットを定めるもの
・最小の径をもつ横糸、バインダー横糸、および前記縦糸であって、前記上層の表面に微小なポケット区域を定めるもの
・最大の径をもつ横糸と縦糸との面差が生じる少なくとも三つのレベルをもち、それらのレベルが前記大ポケット区域および微小なポケット区域に対応するポケット深さを定める上層    
【請求項２３】
前記上層が前記布の成形側を構成し、前記下層が前記布の着用側を構成する、請求項２２の製紙布。
【請求項２４】
前記布が、ティッシュ、生理用ナプキン、およびタオル紙を製造するための成形布である、請求項２２の製紙布。  
【請求項２５】
前記上層における前記大ポケット区域および微小なポケット区域が組み合わさって、前記布で成形する紙シートに、厚み（嵩）、幅方向引っ張り、吸収性、および柔軟性を生じる、請求項２２の製紙布。        
【請求項２６】
各ポケット区域が、同じレベルに少なくとも二つの主要素をなす縦糸を含む、請求項２２の製紙布。  
【請求項２７】
前記横糸、縦糸、およびバインダー糸がモノフィラメントである、請求項２２の製紙布。
【請求項２８】
前記横糸および縦糸が、円形断面形状、矩形断面形状あるいは非円形断面形状である、請求項２２の製紙布。  
【請求項２９】
前記矩形断面形状糸あるいは非円形断面形状糸が撚られている、請求項２８の製紙布。  
【請求項３０】
前記上層と前記下層との間に位置し、縦糸の前記系と織り込まれる横糸の中間層をさらに備える、請求項２２の製紙布。    
【請求項３１】
前記ＣＤ横糸の少なくともいくつかが、ポリエステル糸、ポリアミド糸、あるいは他の高分子糸の中の一つである、請求項２２の製紙布。
【請求項３２】
糸の少なくともいくつかが、硬い材料あるいは柔らかい材料の中の一つである、請求項２２の製紙布。
【請求項３３】
次の各構成を備える製紙布。
・横方向の（ＣＤ）横糸で作った上層であり、その上層は、同じ等高に少なくとも二つの異なる径、大きさ、あるいは形の横糸を含み、布の成形面に面差を生み出す
・ＣＤ横糸で作った下層
・ＣＤ横糸で作った前記上層および下層と織り交ぜる縦方向（ＭＤ）の縦糸の系であり、各ＭＤ糸が、小径なＣＤ横糸の上、隣り合う大径なＣＤ横糸および次の小径なＣＤ横糸の下、そして次の大径なＣＤ横糸の上を通して前記上層に織り込んでから、前記下層に交差しパターンを織るもの
・ＣＤ横糸で作った前記上層が、前記布の成形面にＭＤ縦糸のものよりも長い浮きを形作るという特徴
・前記上層が成形面に好適なポケット状のパターン模様を生み出すという特徴
【請求項３４】
次の各構成を備える製紙布。
・横方向の（ＣＤ）横糸で作った上層であり、その上層は、同じ等高に少なくとも二つの異なる径、大きさ、あるいは形の横糸を含み、布の成形面に面差を生み出す
・ＣＤ横糸で作った下層
・ＣＤ横糸で作った前記上層および下層と織り交ぜる縦方向（ＭＤ）の縦糸の系
・ＣＤ横糸で作った前記上層が、前記布の成形面にＭＤ縦糸のものよりも長い浮きを形作るという特徴
・前記上層が成形面に好適なポケット状のパターン模様を生み出すという特徴
・前記ＭＤ縦糸および／またはＣＤ横糸が、円形断面形状、矩形断面形状あるいは非円形断面形状であり、前記矩形断面形状糸および非円形断面形状糸が撚糸であるという特徴
【請求項３５】
次の各構成を備える製紙布。
・横方向の（ＣＤ）横糸で作った上層であり、その上層は、同じ等高に少なくとも二つの異なる径、大きさ、あるいは形の横糸を含み、布の成形面に面差を生み出す
・ＣＤ横糸で作った下層
・ＣＤ横糸で作った前記上層および下層と織り交ぜる縦方向（ＭＤ）の縦糸の系
・前記上層と前記下層との間に位置し、ＭＤ糸の系と織り込まれるＣＤ横糸の中間層
・ＣＤ横糸で作った前記上層が、前記布の成形面にＭＤ縦糸のものよりも長い浮きを形作るという特徴
・前記上層が成形面に好適なポケット状のパターン模様を生み出すという特徴
【請求項３６】
次の各構成を備える製紙布。
・縦糸の系と織り込まれる同じ等高に少なくとも二つの異なる径、大きさ、あるいは形をもつ横糸から構成される上層
・縦糸の系と織り込まれる横糸で作った下層
・前記した横糸および縦糸が前記上層の表面にポケット区域を定め、前記上層は最も大きな径、大きさあるいは形の横糸と縦糸との間の面差によって生じる少なくとも三つのレベルをもち、それらレベルが前記ポケット区域に対応するポケット深さを定め、各ポケット区域は同じレベルに少なくとも二つの主要な縦糸を含み、そして、前記上層の横糸が前記布の成形面に長い浮きを形作るという特徴
【請求項３７】
次の各構成を備える製紙布。
・縦糸の系と織り込まれる同じ等高に少なくとも二つの異なる径、大きさ、あるいは形をもつ横糸から構成される上層
・縦糸の系と織り込まれる横糸で作った下層
・前記した横糸および縦糸が前記上層の表面にポケット区域を定め、前記上層は最も大きな径、大きさあるいは形の横糸と縦糸との間の面差によって生じる少なくとも三つのレベルをもち、それらレベルが前記ポケット区域に対応するポケット深さを定め、前記上層の横糸が前記布の成形面に長い浮きを形作り、そして、前記横糸および縦糸が、円形断面形状、矩形断面形状あるいは非円形断面形状であり、前記矩形断面形状糸および非円形断面形状糸が撚糸であるという特徴
【請求項３８】
次の各構成を備える製紙布。
・縦糸の系と織り込まれる同じ等高に少なくとも二つの異なる径、大きさ、あるいは形をもつ横糸から構成される上層
・縦糸の系と織り込まれる横糸で作った下層
・前記上層と前記下層との間に位置し、縦糸の系と織り込まれる横糸で作った中間層
・前記した横糸および縦糸が前記上層の表面にポケット区域を定め、前記上層は最も大きな径、大きさあるいは形の横糸と縦糸との間の面差によって生じる少なくとも三つのレベルをもち、それらレベルが前記ポケット区域に対応するポケット深さを定め、前記上層の横糸が前記布の成形面に長い浮きを形作るという特徴